(57)【要約】【課題】  外壁材を固定するための横胴縁を縦材に取付ける外壁パネルにおいて、横胴縁を壁横方向にて分断して通気間隔を確保しながら、縦材の巾を狭くしてコスト低減するとともに、断熱性を向上すること。【解決手段】  外壁パネル１０において、横胴縁３０が壁横方向にて分断され、分断された横胴縁３０の相近接する端部は壁上下方向にて互いに一定の通気間隔Ａを介し、かつ壁横方向にて縦材１１のほぼ巾Ｋ分互いに重なり、該縦材１１に支持されるもの。【選択図】  図１
2007327306.tif 000002
【特許請求の範囲】
【請求項１】
壁横方向に相並んで間隔を介する複数本の縦材の内面側に内壁材を固定するとともに、それら縦材の外面側に外壁下地材を固定し、外壁下地材の外面側の壁上下方向に沿う複数位置のそれぞれに配置した横胴縁を該外壁下地材を介して縦材に支持し、横胴縁の外面側に外壁材を固定し、内壁材と外壁下地材の間で相隣る縦材の間に断熱材を挿入してなる外壁パネルにおいて、
前記横胴縁は壁横方向にて分断され、
分断された横胴縁の相近接する端部は壁上下方向にて互いに一定の通気間隔を介し、かつ壁横方向にて縦材のほぼ巾分互いに重なり、該縦材に支持されることを特徴とする外壁パネル。
【請求項２】
前記分断された横胴縁の相近接する端部が支持される縦材を、単一のランバーにより構成してなる請求項１に記載の外壁パネル。
【発明の詳細な説明】
【技術分野】
【０００１】
本発明は住宅等に用いて好適な外壁パネルに関する。
【背景技術】
【０００２】
従来の外壁パネルとして、特許文献１に記載の如く、壁横方向に相並んで間隔を介する
複数本の縦材１の内面側に内壁材２を固定するとともに、それら縦材１の外面側に外壁下地材３を固定し、外壁下地材３の外面側の壁上下方向に沿う複数位置のそれぞれに配置した横胴縁４を該外壁下地材３を介して縦材１に支持し、横胴縁４の外面側に外壁材５を固定してなるものがある（図２）。
【０００３】
この外壁パネルでは、内壁材２と外壁下地材３の間で相隣る縦材１の間に断熱材６を挿入し、断熱性を高めることが行なわれている。また、外壁下地材３の外面側にて一直線上に置かれる横胴縁４を壁横方向にて分断し、分断された横胴縁４の相近接する端部間に通気間隔Ａを形成し、通気性を高めることも行なわれている。
【特許文献１】特開平11-200521
【発明の開示】
【発明が解決しようとする課題】
【０００４】
従来の外壁パネルでは、外壁下地材３の外面側に配置される横胴縁４が、一直線上に置かれた状態で、壁横方向にて分断される。そして、分断された横胴縁４の相近接する端部を縦材１に釘打ちする等にて支持する。
【０００５】
このとき、一直線上に置かれた横胴縁４の相近接する端部を支持する縦材１は、それら横胴縁４の近接する端部をともに含み、かつ通気間隔Ａを含む長さ以上の巾を占める必要があり、当該縦材１の全巾が広くなる。図２の従来例で、横胴縁４の相近接する端部を支持する縦材１は、平行配置された３本のランバー１Ａからなるものとされている。
【０００６】
また、外壁パネルの壁横方向長さの中で、横胴縁４の相近接する端部を支持する縦材１の全巾が上述の如くに広くなるから、相隣る縦材1の間隔はその分狭くなり、挿入される断熱材６の分量は少なく、断熱性の向上を阻害する。
【０００７】
本発明の課題は、外壁材を固定するための横胴縁を縦材に取付ける外壁パネルにおいて、横胴縁を壁横方向にて分断して通気間隔を確保しながら、縦材の巾を狭くしてコスト低減するとともに、断熱性を向上することにある。
【課題を解決するための手段】
【０００８】
請求項１の発明は、壁横方向に相並んで間隔を介する複数本の縦材の内面側に内壁材を固定するとともに、それら縦材の外面側に外壁下地材を固定し、外壁下地材の外面側の壁上下方向に沿う複数位置のそれぞれに配置した横胴縁を該外壁下地材を介して縦材に支持し、横胴縁の外面側に外壁材を固定し、内壁材と外壁下地材の間で相隣る縦材の間に断熱材を挿入してなる外壁パネルにおいて、前記横胴縁は壁横方向にて分断され、分断された横胴縁の相近接する端部は壁上下方向にて互いに一定の通気間隔を介し、かつ壁横方向にて縦材のほぼ巾分互いに重なり、該縦材に支持されるようにしたものである。
【０００９】
請求項２の発明は、請求項１の発明において更に、前記分断された横胴縁の相近接する端部が支持される縦材を、単一のランバーにより構成してなるものである。
【発明の効果】
【００１０】
（請求項１）
(a)外壁パネルにおいて、壁横方向にて分断された横胴縁の相近接する端部が壁上下方向にて互いに一定の通気間隔を介するように設けたから、外壁材と外壁下地材の間の通気性を高めることができる。空気は図１に矢印で示すように上下方向に流通できる。
【００１１】
(b)壁横方向にて分断された横胴縁の相近接する端部が壁横方向にて縦材のほぼ巾分互いに重なり、該縦材に支持されるようにしたから、縦材の巾を狭くしてコスト低減できる。
【００１２】
(c)外壁パネルの壁横方向長さの中で、壁横方向にて分断された横胴縁の相近接する端部を支持する縦材の巾を上述(b)の如くに狭くできるから、相隣る縦材の間隔はその分広くなり、挿入される断熱材の分量を多くし、断熱性を向上できる。
【００１３】
（請求項２）
(d)上述(b)により、横方向にて分断された横胴縁の相近接する端部を支持する縦材を、単一のランバーにより構成できる。
【発明を実施するための最良の形態】
【００１４】
図１は本発明の一実施例を示し、（Ａ）は外壁材を一部破断して示す斜視図、（Ｂ）は（Ａ）のＢ部分を拡大して示す斜視図、図２は従来例を示し、（Ａ）は外壁材を一部破断して示す斜視図、（Ｂ）は（Ａ）のＢ部分を拡大して示す斜視図である。
【実施例】
【００１５】
図１に示した外壁パネル１０は、壁横方向に相並んで間隔を介する複数本（図１では９本）の縦材１１の内面側（室内側）に釘打ち（接着でも可）等により内壁材２１を固定するとともに、それら縦材１１の外面側（室外側）に釘打ち（接着でも可）等により外壁下地材２２を固定し、外壁下地材２２の外面側（室外側）の壁上下方向に沿う複数位置（図１では６位置）のそれぞれに配置した横胴縁３０（３１〜３６）を該外壁支持材２１を介して釘打ち（接着でも可）等により縦材１１に支持し、横胴縁３０の外面側に釘打ち（接着でも可）等により外壁材２３を固定する。外壁下地材２２としては、防水紙、合板、パーチクルボード、石膏ボード等を採用できる。
【００１６】
外壁パネル１０は、内壁材２１と外壁下地材２２の間で、相隣る縦材１１の間に断熱材４０を挿入する。断熱材４０としては、発泡ウレタン樹脂、グラスウール等を採用できる。
【００１７】
外壁パネル１０は、壁上下方向に沿う各位置に配置される横胴縁３０（３１〜３６）を壁横方向にて分断しており、例えば、横胴縁３１を左、中、右の横胴縁３１Ａ〜３１Ｃの３本に分断している。
【００１８】
外壁パネル１０において、分断された横胴縁３０（３１〜３６）の相近接する端部は壁上下方向にて互いに一定の通気間隔Ａを介し、かつ壁横方向にて縦材１１のほぼ巾Ｋ分互いに重なり、該縦材１１に支持される。本実施例において、縦材１１は単一のランバー１１Ａより構成される。例えば、横胴縁３１を分断してなる横胴縁３１Ａ〜３１Ｃにあっては、横胴縁３１Ａと横胴縁３１Ｂの相近接する端部が壁上下方向（横胴縁３１Ａの下方に横胴縁３１Ｂを配置）にて互いに一定の通気間隔Ａを介し、かつ壁横方向にて縦材１１のほぼ巾Ｋ分互いに重なり、該縦材１１に支持されるとともに、横胴縁３１Ｂと横胴縁３１Ｃの相近接する端部が壁上下方向（横胴縁３１Ｃの下方に横胴縁３１Ｂを配置）にて互いに一定の通気間隔Ａを介し、かつ壁横方向にて縦材１１のほぼ巾Ｋ分互いに重なり、該縦材１１に支持され、結果として横胴縁３１Ａ〜３１Ｃを壁横方向に沿って互い違いになるように配置している。
【００１９】
本実施例によれば以下の作用効果を奏する。
(a)外壁パネル１０において、壁横方向にて分断された横胴縁３０の相近接する端部が壁上下方向にて互いに一定の通気間隔Ａを介するように設けたから、外壁材２３と外壁下地材２２の間の通気性を高めることができる。空気は図１に矢印で示すように上下方向に流通できる。
【００２０】
(b)壁横方向にて分断された横胴縁３０の相近接する端部が壁横方向にて縦材１１のほぼ巾Ｋ分互いに重なり、該縦材１１に支持されるようにしたから、縦材１１の巾Ｋを狭くしてコスト低減できる。
【００２１】
(c)外壁パネル１０の壁横方向長さの中で、壁横方向にて分断された横胴縁３０の相近接する端部を支持する縦材１１の巾Ｋを上述(b)の如くに狭くできるから、相隣る縦材１１の間隔はその分広くなり、挿入される断熱材４０の分量を多くし、断熱性を向上できる。
【００２２】
(d)上述(b)により、横方向にて分断された横胴縁３０の相近接する端部を支持する縦材１１を、単一のランバー１１Ａにより構成できる。
【００２３】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２４】
【図１】図１は本発明の一実施例を示し、（Ａ）は外壁材を一部破断して示す斜視図、（Ｂ）は（Ａ）のＢ部分を拡大して示す斜視図である。
【図２】図２は従来例を示し、（Ａ）は外壁材を一部破断して示す斜視図、（Ｂ）は（Ａ）のＢ部分を拡大して示す斜視図である。
【符号の説明】
【００２５】
１０  外壁パネル
１１  縦材
１１Ａ  ランバー
２１  内壁材
２２  外壁支持材
２３  外壁材
３０、３１〜３６、３１Ａ〜３１Ｃ  横胴縁
４０  断熱材
Ａ  通気間隔
【図１】
2007327306.tif 000003
【図２】
2007327306.tif 000004